(57)【要約】      （修正有）【課題】ワイヤレス通信システムにおいて、アクセスポイントが、アクセスポイントとモバイル端末との間のリンク品質値に基づき、適切なアクセスポイントのみがアソシエーション要求を受諾する方法並びに装置及びシステムを提供する。【解決手段】複数のアクセスポイント（ＡＰ）とモバイル端末（ＭＴ）で構成されるワイヤレス通信システムにおいて、ＭＴとアクティブなアソシエーションをもつＡＰ１が、リンク品質が所定の閾値を下回ると判断する３０１。ＡＰ１は、他のアクセスポイントＡＰ２、ＡＰ３、．．．、ＡＰｎに、プローブ要求３０３及びプローブ応答３０４を通じて、ＭＴとの間のリンク品質をレポートするよう指示し３０２、受信したリンク品質レポート３０５に基づき、ＭＴとの将来のアソシエーションに対して適切な１つ以上のＡＰを選択し、各ＡＰに将来のアソシエーション要求を受諾または拒絶するよう指示する３０６。【選択図】図３
2019198096.tif 000002
【特許請求の範囲】
【請求項１】
少なくとも２つのアクセスポイントを有するワイヤレス通信システムにおいてアクセスポイントに対するモバイル端末のアソシエーションを制御する方法であって、各アクセスポイントは、複数のチャネルのうちの選択された一つ上でワイヤレスインタフェースを介して前記アクセスポイントのサービスエリア内の前記モバイル端末とのデータ通信を提供するように適合され、前記方法は、
１つ以上のアクセスポイントの候補が、第１のモバイル端末が接続されている第１のアクセスポイントのサービスエリアと隣接した又はオーバーラップしたサービスエリアを有し、前記第１のモバイル端末に対してプローブ要求メッセージを送信するコマンドを受信し、
前記１つ以上のアクセスポイントの各候補が、前記対応するプローブ要求メッセージに応答して、前記第１のモバイル端末から受信した応答から、前記アクセスポイントのそれぞれの候補及び前記第１のモバイル端末との間の接続の品質を表すそれぞれの第１の値を決定し、
前記１つ以上のアクセスポイントの各候補が、前記第１のモバイル端末により発行された将来のアソシエーション要求を選択的に受諾又は拒絶するように前記アクセスポイントのそれぞれの候補を制御するコマンドを受信する、前記方法。
【請求項２】
前記アクセスポイントの各候補の前記ワイヤレスインタフェースが、前記第１のモバイル端末が前記第１のアクセスポイントと接続されている前記チャネルとは異なるチャネルを最初に設定し、前記アクセスポイントの各候補に対して、前記第１のモバイル端末に前記プローブ要求メッセージを送信する前に、前記方法は、さらに、
前記第１のアクセスポイントと前記第１のモバイル端末が接続されている前記チャネルへ前記ワイヤレスインタフェースをスイッチし、前記プローブ要求メッセージを送信後所定の時間の経過に応じて、又は前記プローブ要求メッセージに対する応答の受信に応じて、最初に設定された前記チャネルにスイッチする、請求項１に記載の方法。
【請求項３】
前記アクセスポイントの各候補が、さらなるモバイル端末とのアクティブなワイヤレス通信を実行しない間の時間間隔においてのみ、プローブ要求メッセージを送信することをさらに含む、請求項１に記載の方法。
【請求項４】
プローブ要求メッセージを送信する前記コマンドが、前記第１のアクセスポイント又は前記ワイヤレス通信システムの前記少なくとも２つのアクセスポイントと通信する制御ユニットから受信される、請求項１に記載の方法。
【請求項５】
前記第１のアクセスポイント及び前記第１のモバイル端末の間の接続の１つ以上の属性をモニターし、前記モニターした属性から前記接続の前記品質を表す第２の値を決定し、前記アクセスポイントの候補に前記コマンドの送信をトリガーし、前記第２の値が、所定の値以下のときにプローブ要求メッセージを送信させることをさらに含む請求項１に記載の方法。
【請求項６】
前記モニターすること、前記決定すること、及び制御するための前記コマンドをトリガーすることの１つ以上が、前記第１のアクセスポイント又は前記ワイヤレス通信システムの前記少なくとも２つのアクセスポイントと通信する制御ユニットにおいて実行される、請求項５に記載の方法。
【請求項７】
前記アクセスポイントの候補に選択的に前記第１のモバイル端末からのアソシエーション要求を受諾又は拒絶するように制御する前記コマンドは、前記それぞれの第１の値を送信する前記アクセスポイントの候補から受信したメッセージに応答して、前記第１のアクセスポイント又は前記ワイヤレス通信システムの前記少なくとも２つのアクセスポイントと通信する制御ユニットから受信される、請求項１に記載の方法。
【請求項８】
前記第１のモバイル端末からの将来のアソシエーション要求を受諾又は拒絶するよう前記アクセスポイントの各候補を制御することは、前記それぞれの第１の値が所定の値以上の場合のみ将来のアソシエーション要求を受諾すること、前記アクセスポイントの前記各候補に接続されるさらなるモバイルステーションの所定の数より少ない場合のみ将来のアソシエーション要求を受諾すること、又は前記アクセスポイントの各候補のデータトラフィックの総量が所定の時間間隔の間所定の値を下回った場合のみ将来のアソシエーション要求を受諾することのうちの１つ以上を含む、請求項１に記載の方法。
【請求項９】
前記プローブ要求メッセージは、ＡＤＤＢＡ要求又はＱｏＳ制御フレームを含み、アクセスポイントとの確立したアソシエーションと関係なく応答しなければならないタイプである、請求項１に記載の方法。
【請求項１０】
各アクセスポイントは、モバイル端末との接続品質を示す値を含む状態メッセージを制御ユニットへ送信する、請求項１に記載の方法。
【請求項１１】
モバイル端末との接続の前記品質は、信号強度、ビットエラーレート、ブロックエラーレート、データレート、変調方式、及び信号対雑音比のうちの１つ以上に基づいて決められる、請求項１に記載の方法。
【請求項１２】
前記プローブ要求メッセージに応答して前記モバイル端末から応答を受け取らないアクセスポイントは、前記モバイル端末からの応答が無いことを示すプローブ要求メッセージを送信するコマンドに応答してメッセージを返す、請求項１に記載の方法。
【発明の詳細な説明】
【技術分野】
【０００１】
本発明は、モバイル通信ネットワークに関し、さらに具体的には、モバイル通信ネットワークに接続されたモバイル端末のローミングを許すモバイル通信ネットワークのアクセスポイント間でのモバイル端末のハンドオーバに関する。
【背景技術】
【０００２】
広いエリアに亘ってワイヤレス通信ネットワークに接続されたデバイスに真の移動性（mobility）を提供するために、エリアに対するワイヤレスデータアクセスが複数のアクセスポイント、すなわちＡＰによって提供されなければならない。
データ通信を提供できるようにするために、モバイル端末は、最初にネットワークに参加しなければならない。一般にアソシエーション（association：接続）と称されるこの処理において、モバイル端末、すなわちＭＴは、周辺にあるＡＰの１つと接続する（associate）。あるいかなる瞬間においても、特定のＡＰ、すなわち、ＭＴと接続するＡＰは、ＭＴに対してサービングＡＰ（serving  AP）として動作する。ＭＴは、通常はどんなときでも単一のＡＰと接続する。例えば、ＭＴがＡＰが良い信号を提供するサービスエリアの外に移動したとき、ＭＴとＭＴが現在接続されているＡＴの間の接続が正常な通信サービスの提供をできなくなり始めると、現在のＡＰからＭＴを切断し、より良い信号、例えば、より強い信号又は外乱（disturbance）又はインターフェアランスをより受けにくい信号を提供する異なるＡＰにＭＴを乗り換えて接続し、それによって、正常な通信サービスが提供される。
【０００３】
典型的には、複数のＡＰがある環境は、相互間でＡＰが隠れた（hidden）ノードを作ることを避けるために、異なる、オーバーラップしないチャネル上で動作するそれぞれのＡＰを有する。
【０００４】
今日一般に使用される多くのワイヤレスネットワークは、複数のデバイスにサービスを提供する。単一のＡＰが同じチャネルを使用して時分割方式で複数のデバイスにモバイル通信サービスを提供する間、上述の通り、周辺の幾つかのＡＰのうちの各一つは、ＡＰ間又は隠れたノード間のインターフェアランスを避けるために異なるチャネルを使用する。本文脈においてチャネルは、単一の周波数又は公称中心周波数を中心とする周波数の範囲に対応する。ＡＰとＭＴの物理ワイヤレスインタフェースは、複数の隣接したチャネルに亘る１つ以上の周波数範囲内で送信及び受信するように典型的には適合されている。周辺のＡＰのサービスエリアは、典型的にはオーバーラップすることにより、大きな領域に対して隙間のない通信サービスを提供している。ＡＰは、有線、例えばローカルエリアネットワーク（ＬＡＮ）、又は無線のバックボーンネットワークを通じて互いに接続され、通信する。バックボーンネットワークは、また、ワイヤレスネットワークをワイヤレス通信ネットワークに参加した（attached）ＭＴに複数のサービスを提供する他のネットワーク、例えば、インターネットに接続する。
【０００５】
ＩＥＥＥ８０２．１１が使用可能な装置、すなわち、ワイヤレスＬＡＮ、又はＷＬＡＮ装置、またワイヤレスネットワークの他のタイプを通じて通信するように適合された装置は、ＡＰをアソシエーションするためにアクティブ又はパッシブな発見プロシージャ（discovery  procedure）を使用する。以下において、アソシエーションプロシージャの典型的な現在の実装について簡潔に検討する。最も単純な実施形態では、ＭＴは、検出した第１のＡＰを選択し、すなわち、ＭＴがオンにされると、問題になっている地理的領域において利用可能なチャネルをスキャンし始めて、それを受信した第１のＡＰを選択する。もっと最新のアプローチでは、選択は、複数のＡＰの送信から取得された情報に基づく。その領域におけるＡＰを検出するために、ＭＴは、アクティブ又はパッシブスキャンのいずれかを利用する。アクティブスキャンにおいて、ＭＴは各チャネルでプローブ要求（probe  request）をコールするメッセージを送る。ＡＰは、プローブ要求メッセージを受け取ると、プローブ応答（probe  response）をＭＴに返送する。パッシブスキャンでは、例えば、各ＡＰによって周期的にブロードキャストされるビーコンメッセージ又は他のＭＴ及びＡＰとの間のデータトラフィックをチャネル上のトラフィックを単にリスンすることによって、ネットワークを発見する。上述のアクティブ又はパッシブスキャンを利用することにより、ＭＴはチャネルをスキャンし、ＡＰのセキュリティ機能を示すパラメータのような、ＡＰの特性についての情報を取得し、又は抽出することを許す、このデータトラフィック又は他のデータトラフィック、ビーコンフレーム、又はプローブ応答フレームで送信された情報を検査する。ＭＴは、ＡＰにリンクされた受信信号レベルを示すＲＳＳＩ（Received  Signal  Strength  Indicator：受信信号強度指標）と称するパラメータを決定し、保存する。信号強度は、重要なパラメータで、アソシエーションが確立していないときでも決定しやすい。また、それぞれ使用されるチャネルにおける、インターフェアランスモニタリング及びインターフェアランス軽減をＡＰが適用するという事実により信号強度が重要なパラメータになる。スキャン処理を終了後、ＭＴによって設定される他の要件をＡＰが満たすという条件で、ＭＴは、最大ＲＳＳＩを持つＡＰを選択する。言い換えれば、ＭＴはＡＰの特性がＭＴに取って適切である限り、ベストなＲＳＳＩを持つＡＰがベストな品質のサービスを提供すると仮定する。
【０００６】
広い領域をカバーするワイヤレスネットワークの他の重要な特性は、オーバーラップがセル間のローミングを可能にするので、近隣のＡＰ（neighboring  AP）のカバレッジ領域、すなわち、セルのオーバーラップである。ＭＴを有するモバイルユーザは、現在のサービングＡＰのカバレッジ領域を超えて移動するとき、ＭＴは新たなＡＰとの接続（associate）をしなければならない。１つのＡＰから他のＡＰへの確立したアソシエーションを移動するこの処理は、一般に、リアソシエーション（re-association）、又はハンドオーバと称され、以前に接続したＡＰからのディサソシエーション（disassociation）も明らかに含む。
【０００７】
ＡＰ又はＭＴが接続、又はリンクが「悪い（bad）」、すなわち、もはや所望のサービスが所望のパフォーマンスレベルで提供されず、又はもはやサービスが全く提供されない、と判断したときはいつでも、このハンドオーバ処理は、ＡＰ又はＭＴのどちらか一方によって開始される。ローミングに関して、ＡＰ及びＭＴの間に存在するアソシエーションは、ＭＴ又はＡＰのいずれか一方によってトリガーされて、切断され（disassociated）なければならず、ＭＴ及び新しいＡＰ間の新しいアソシエーションが確立されなければならない。
【０００８】
しかしながら、最大のＲＳＳＩを持つＡＰがベストの品質のサービスを提供するという仮定は、ＡＰのいくつかが実質的にアイドルである間に、圧倒的多数のＭＴがごく少数のＡＰと接続するという状況へ導き得る。ワイヤレスネットワークのカバレッジ領域内の複数のＡＰのうちの一つとのＭＴのアソシエーションが、ＭＴに実装されたアルゴリズムの裁量よりもむしろネットワークにより制御を必要とする他の理由が存在するかも知れない。
【０００９】
負荷分散メカニズムが進化し、ＡＰ間のより統一された負荷分配、すなわち、すべてのＡＰ間でのＭＴのより均一な分配をもたらした。いくつかの存在する負荷分散メカニズムは、ビーコン又プローブ応答フレームにおいてＡＰにより送られる負荷情報に基づいており、負荷情報は、ＡＰの現在の負荷を示している。負荷情報は、典型的には、ＡＰと現在接続されているＭＴの数を示す。負荷情報は、マルチセル構造を要求するセルがオーバーラップするところ又は過密領域、すなわち、幾つかのＡＰが本質的に同じ領域をカバーするところで、特に有用である。
【００１０】
上述の負荷情報の使用は、例えば、米国特許６，４６９，９９１号に記載されている。この特許は、ＡＰの機能についての情報、及びＡＰと接続するＭＴの数を通常含む、負荷測定基準（metric）情報も場合により含むビーコンメッセージがＡＰからブロードキャストされるワイヤレス通信システムを開示する。ビーコンメッセージ中の情報に基づいて、ＭＴは、接続したいＡＰを選択する。
【００１１】
ＡＰから様々な接続特性（connection  attribute）が送信されることがさらに知られており、ＡＰの選択はそのような特性に基づいて行われる。国際特許出願、ＷＯ０１／６３８４２は、可能な限り同じネットワークが維持される接続の方法を開示する。ＭＴは、数個のネットワークからその特性を受け取り、２つのＡＰを選択する：第１のＡＰは、現在のサービングＡＰのネットワークの中でベストの接続特性を有し、第２のＡＰは、現在のサービングＡＰのネットワークと別のネットワークの中でベストの接続特性を有する。ＭＴは、第１及び第２のＡＰの１つ以上の接続特性（connection  attribute）を比較して、そして、２つのＡＰの接続特性間の違いが所定の基準を満たす場合に、第２のＡＰとのリアソシエーションを行う（re-associate）。このように、接続は、可能な限りサービングネットワーク中で維持され得る。
【００１２】
通常、ネットワーク参加及びＡＰとのリアソシエーション（re-associating）に関する上述の既知の方法の主な欠点は、固定の特性及びＭＴに対して使用可能なＡＰの現在の負荷に基づいてのみ正しいＡＰが決定される点である。
【００１３】
さらに、現在のＷＬＡＮネットワークが、ＡＰの負荷又はサービングリンクの信号レベル等の特性の絶対値に依存しているので、セル中のサービスの総合的なレベルからの短期間のずれが好ましくないアソシエーション又はリアソシエーション決定の原因となり得る。例えば、チャネル上の短期のサイレント期間又はＡＰの負荷レベルの短期間のドロップがそのような決定を引き起こし得る。
【００１４】
発見プロシージャ―（discovery  procedure）は、典型的にＭＴ及びＡＰ又はＭＴに開始された発見に対して単に応答する複数のＡＰを含むネットワークによって開始されるので、別の主な欠点は、どのＡＰがＭＴと接続したか、及びこの処理の結果に関してネットワークが制御することがほとんどできない点である。
【００１５】
その上、既存の解決策の欠点は、現在のＡＰが典型的に単一のチャネルで使用可能であるという事実である。したがって、このようなＡＰは、そのチャネル上のリンク品質をモニターできるが、同時に異なるチャネル上のリンク品質はモニターできない。近隣のＡＰは、典型的には異なるチャネル上で動作しているので、２つの近隣のＡＰは、ＡＰの１つと接続している両方のＡＰの範囲内でＭＴとリンク品質アセスメントを確立することはできない。
【００１６】
Ｍ．Ｅ．べレジン（Berezin）他は、「Multichannel  Virtual  Access  Points  for  Seamless  Handoffs  in  IEEE  802.11  Wireless  Networks」、Vehicular  Technology  Conference  (VTC  Spring)、2011  IEEE  73rd、15-18  May  2011において、近隣のＡＰが現在のハンドリングＡＰチャネルへスイッチし、リンク品質を判定するためにチャネルをリスンするという、異なるＡＰ間でのハンドオーバ制御方法を開示している。リスンするＡＰは、その結果を現在のハンドリングＡＰに伝え、そのＡＰは、適切な１つを選び、接続されたＭＴに選択されたＡＰにスイッチするように伝える。この方法は、その結果、専用のハンドオーバコマンドに応答できる適合したＭＴを必要とする。
【００１７】
本発明の目的は、上述の欠点を軽減又は取り除くことにある。
【発明の概要】
【００１８】
上述のワイヤレス通信ネットワークの文脈において、本発明は、アソシエーション又はハンドオーバ処理及び／又はＭＴとアソシエーションするＡＰの最終的な選択の開始からまだ離れている（leaving）間に、ワイヤレス通信ネットワークインフラオペレータがＭＴ及び異なるＡＰ間のアソシエーション又はハンドオーバ処理を制御できるような方法を提供する。この処理は、ＭＴのいかなる変更も要求しないので、したがって、すべての既に配備されたＭＴと言わないまでも、大多数と互換性がある。
【００１９】
現在ビジー又はデータパケット送信又は受信で過負荷でもない条件では、ＡＰはパケット送信又は受信の間に、例えばＡＰ周辺の環境をスキャンする等、「他のタスク（other  tasks）」を遂行する利用可能な空き時間を典型的に有する。そのようなタスクを遂行するために、ＡＰは、すぐに別のチャネルにスイッチし、例えば、パッシブスキャンに対して２５０ミリ秒の固定の期間に他のネットワークからのビーコンをリスンし、そして、パケット送信／受信を続けるために前に選択したチャネルに戻るようにスイッチする。
【００２０】
本発明の態様に従って、アクティブなネットワークをサーブしている間に他のタスクを実行する能力は、オフ・チャネルアセスメントとも呼ばれる他のチャネル上の１つ以上のＭＴとの基本リンク品質アセスメントの実行に使用される。例えば、基本フォームのリンク品質アセスメントは、ピアノードの信号のＲＳＳＩを決定することによって得ることができる。
【００２１】
実際のオフ・チャネル時間は、オリジナルチャネル中での伝送に対する最大持続パケットハンドリングレートを決定し、リンク品質チェックタスクにとって、オフ・チャネル時間を最少化、例えば、２ミリ秒以下にし、そして、単純なパッシブリスニングの実行よりもアクティブな評価メカニズムを実装することが望ましい。そのようなアクティブ評価は、送信され得る複数のユニキャストリンクチェックフレームとしてのＲＳＳＩ値の精確さを向上し、これらのパケットへの応答は、実際のデータ交換信号を表現するデータＡＣＫメッセージである。
【００２２】
ＩＥＥＥ８０１．１１ベース、又はＷＬＡＮベースのワイヤレスネットワークについては、本発明は、ＷＬＡＮの２つの性質を有利に使用する。１つは、ＩＥＥＥ８０２．１１は、デバイスがアクノリッジメントを送信しなければならないフレーム、例えば、ＡＤＤＢＡのようないくつかのアクションフレーム、又はＱｏＳ  ＮＵＬＬのようなＱｏＳデータフレームを規定する。アクションフレーム又はＱｏＳデータフレームの使用により、これまで論じてきたように、基本リンク品質測定基準（metric）の確立に有用な、リンクのＲＳＳＩを決定することが可能になる。特定のデータレートでのＱｏＳデータフレームの使用は、さらに進化したリンク品質計量を可能にするいわゆる「レート・プロービング（rate-probing）」に有用である。もう一つは、ＷＬＡＮの受信機実装において入来フレームのＢＳＳＩＤ値に対するチェックを行わないことがざらにあるので、信頼できないブロードキャストよりもユニキャストの通信の方が効果がある。類似の特性が、異なる標準の下で動作している他のワイヤレスネットワークにおいても存在する。しかしながら、この明細書の全体に亘って、本発明は、特に断りが無い限り、ＷＬＡＮに関連して説明される。当業者にすぐに分かるように、しかしながら、本発明は、他のワイヤレスネットワークのタイプに適用可能であり、ＷＬＡＮタイプのネットワークに限定されない。
【００２３】
本発明の態様に従った方法は、少なくとも２つのアクセスポイントを有するワイヤレス通信システムにおいて、アクセスポイントに対するモバイル端末のアソシエーションの制御を可能にする。各アクセスポイントは、多くのチャネルのうちの選択された一つを通じてワイヤレスインタフェースを介するアクセスポイントのサービスエリア内でモバイル端末とのデータ通信を提供するように適合されている。本方法に従って、第１のモバイル端末と接続された第１のアクセスポイントのサービスエリアの周辺又はオーバーラップするサービスエリアを有する一つ以上のさらなるアクセスポイントは、第１のモバイル端末にプローブ要求メッセージを送るように制御される。そして、１つ以上のさらなるアクセスポイントのそれぞれに対して、対応するプローブ要求メッセージに応答する第１のモバイル端末から受信した応答から、それぞれのアクセスポイント及び第１のモバイル端末との間の接続の品質を表すそれぞれの第１の値が決定される。最終的に１つ以上のさらなる各アクセスポイントは、第１のモバイル端末からの将来の（future）アソシエーション要求を選択的に受諾する（accept）又は拒絶する（reject）ことを制御される。
【００２４】
本発明に従って、プローブ要求メッセージ送信は、精度を増すために、各チャネル又は選択されたチャネルに対して繰り返すことがあり得る。
【００２５】
本発明の一実施形態において、将来のアソシエーション要求の受諾又は拒絶するアクセスポイントの選択は、ＡＰ及びＭＴの間の接続の品質を示すパラメータに基づく。接続の品質は、信号強度、信号対雑音比、近隣ＡＰとのインターフェアランス又は他の信号インターフェアランス等を使用して判断され得る。これらの特性は、典型的にはまた接続の品質又はリンク品質に依存するので、判断のためにデータレート又は変調方式についての情報を使用することもできる。変調方式は、例えば、良い信号強度及び／又は低いインターフェアランスを有するリンク及び低い信号強度及び／又は高いインターフェアランスを示すリンクの間で異なり得る。
【００２６】
本発明の別の実施形態において、将来のアソシエーション要求を受諾又は拒絶するアクセスポイントの選別は、それぞれのＡＰと既に接続しているＭＴの数に基づいている。
【００２７】
本発明のさらに別の実施形態において、将来のアソシエーション要求を受諾又は拒絶するアクセスポイントの選別は、それぞれのＡＰが既に処理するデータトラフィックの量に基づいている。
【００２８】
どのＡＰが将来のアソシエーション要求を受諾するか又は拒絶するかの選別の基準（criteria）は、等しい重み又は異なる重みを使用して統合され、またネットワークの設定に対して適切と見なされるさらなる判定基準を含み得る。
【００２９】
本発明の実施形態において、特定のＭＴからの将来のアソシエーション要求を受諾しないと選択されたＡＰは、アソシエーション又はディサソシエーションに対する既存のプロトコルを使ってそのような要求をどうしても拒絶する。アソシエーション要求を拒絶する他の手段は、要求に答えない、すなわち、そのような要求に対し無応答（no  reaction）を示すことである。
【００３０】
本発明の一実施形態において、１つ以上のさらなるアクセスポイントのそれぞれのワイヤレスインタフェースは、第１のモバイル端末が第１のアクセスポイントと接続しているチャネルとは異なるチャネルを最初にセットする。ＡＰのサービスエリアがオーバーラップし、同じチャネルが使用されているときに起こり得るインターフェアランス又は隠れたノード（hidden  node）の生成を避けるときに良くある。１つ以上のさらなるアクセスポイントのそれぞれに対して第１のモバイル端末へのプローブ要求メッセージの送信の前に、ワイヤレスインタフェースは、第１のモバイル端末が第１のアクセスポイントと接続しているチャネルへスイッチする。そして、それぞれのＡＰは、プローブ要求メッセージを送信し、応答をリスンする。プローブ要求メッセージの送信から所定の時間の満了後又はプローブ要求メッセージに対する応答の受信に応じて、ＡＰは初めに設定されたチャネルへ戻るようにスイッチする。ＭＴは、ＭＴが接続しているＡＰと通信するように現在設定されている１つのチャネル以外の他のチャネルをリスンすることは通常はできないので、チャネルスイッチには、ＭＴへのコンタクトが必要である。１つのチャネル上で１つのＡＰと通信を実行し、他のチャネル上でリスンすることは、実装にコストがかかるのでめったに見ない、２つの独立したワイヤレスインタフェースを持つことをＭＴに要求する。
【００３１】
一実施形態において、個別のＡＰは、同じＩＤ（ＳＳＩＤ）を共用しない。プロービングをトリガーするＡＰは、プロービングＡＰにトリガーするＡＰのＳＳＩＤを使用するよう指示する。
【００３２】
別の実施形態では、プロービングＡＰは、自身のＳＳＩＤを使用するが、そのＳＳＩＤは、ＭＴによって無視される。
【００３３】
ＭＴは、現在接続しているＡＰとの通信で使用される、その固有のＭＡＣアドレス、又はＩＰアドレスによってプローブされることにより識別され、アドレスされ得る。プローブするＭＴのＭＡＣ及び／又はＩＰアドレスは、例えば、プローブを開始するメッセージ中で伝送される。
【００３４】
本発明の一実施形態において、ＡＰは２つの独立したワイヤレスインタフェースを有し、そのうちの１つは、接続しているＭＴとのトラフィックに対処し、他の一つは、プローブ要求メッセージを送信するために使用される。この実施形態の拡張において、２つの独立したワイヤレスインタフェースは、両方とも接続しているＭＴとのトラフィックを扱うのに使われ、しかし、同時に両方のワイヤレスインタフェースがビジーである可能性は明らかに減じられる。したがって、たとえＭＴの将来のアソシエーションに実際に使用され得る１つのワイヤレスインタフェースでないとしても、ワイヤレスインタフェースの一つは、プローブ要求を送るために使用できる。
【００３５】
本発明の一実施形態において、ＭＴのプロービングに関するチャネルのスイッチは、個別のＡＰに参加した他のＭＴとのアクティブなワイヤレス通信が無いときのみ行われる。これによって、既に接続されているＭＴのデータトラフィックとのインターフェアランスを防ぐ。「アクティブな通信が無い（no  active  communication）」の定義は、ワイヤレス通信がアクティブではない期間のある最小限のサイズの所定時間間隔をまた含み得る。これは、ＡＰの示す遅いチャネルスイッチング特性を補償する。
【００３６】
本発明の一実施形態において、チャネルの範囲内で選ばれた数のチャネルのみが一つのプロービング期間の間に連続してスイッチし、残りのチャネルは１つ以上の連続するプロービング期間の間にプローブされる。
【００３７】
別の実施形態において、近隣のＡＰのチャネルは、各ＡＰに保存される。このように近隣のＡＰは、どのＡＰがスキャントリガーメッセージを送信したかに依存してスキャンされ、それによって、スキャンニング処理が加速され得ることを知っている。
【００３８】
別の実施形態において、スキャンするチャネルは、近隣のＡＰに送られたプロービングトリガーメッセージで伝送され、それにより、同様にスキャンニング処理が早くなる。
【００３９】
ディサソシエーション処理において、ディサソシエートするＡＰは、アソシエーションに関するスキャンのためにチャネルのＭＴに通知し、それによって、またハンドオーバ処理をスピードアップする。
【００４０】
本発明の一実施形態において、現在ＭＴと接続されているＡＰは、連続して、又は周期的に、ＭＴとの接続の品質をモニターする。もし接続の品質が所定の値を下回った場合、又は下回りそうな場合は、ＡＰは、近隣又は隣接したＡＰにメッセージを送り、これらのＡＰにＭＴに対してプローブ要求メッセージを送るようにさせる。言い換えれば、ＭＴに対して現在アクティブなＡＰは、プロービングを近隣又は隣接するＡＰ内で行うようにトリガーする。プロービングは、上述の通り行われる。近隣の又は隣接したＡＰは、プロービングを開始したＡＰにプロービングの結果を送信し、そして、それによりＭＴからの将来のアソシエーション要求を受諾する又は拒絶するように近隣の各ＡＰに指示する。ＭＴからのアソシエーション要求を受諾すると言ったＡＰのみが、ＭＴが開始した発見処理（discovery  process）に応答する。
【００４１】
接続の品質のモニタリング及び／又はプローブ要求メッセージの送信を開始することは、例えば、バックボーンネットワークを介して、ＡＰとの接続中に１つ以上の制御ユニットの中でも実行され得る。この実施形態においては、ＡＰは、周期的に又は事象トリガーで、これらと接続しているＭＴとの接続の品質を示す状態メッセージを１つ以上の制御ユニットに送る。
【００４２】
本発明の一実施形態において、プローブ要求メッセージは、ＡＤＤＢＡ要求、又はＱｏＳ制御フレームを含む。一般に、プローブ要求メッセージは、送信機と受信機の間のアソシエーションが存在するか否かに関係なく必ず応答しなければならないタイプである。
【００４３】
既存の接続の品質のモニタリング、プローブ要求の送信のトリガー、プローブ要求に対する応答の評価、及び将来のアソシエーション要求の受諾又は拒絶は、ネットワークの中の選択されたＡＰ又は各ＡＰにおいて非集中的に行うことができ、又は必要に応じて、専用の制御ユニットにより制御することもできる。１つ以上のＡＰは、それぞれの設定に応じて、同時にＡＰ及び制御ユニットとして動作することができる。そのような集中型の又は半集中型の制御は、リンク品質を示し、必要に応じて又は周期的に交換される制御を効果的にする対応するメッセージを必要とする。しかしながら、そのようなメッセージ交換の実装は、当業者に取って容易に明白であり、詳細には検討しない。本明細書で説明されるいくつかの実施形態は、すべて又は選択的に組合せられることは明らかである。どのネットワーク構成要素がスキャン要求をトリガーするか、及びどの構成要素が将来のアソシエーション要求を受諾又は拒絶を決定するかは、当業者にとって重要ではないことは明白である。
【００４４】
本発明の態様に従って、ＭＴと接続されたＡＰに隣接した又は近隣のＡＰは、プローブ要求メッセージの送信をトリガーするコマンドと共に、ＭＴにより達成されるリンク品質に関する最小値を受信する。もしＡＰ及びＭＴの間のリンク品質が最小値より低い場合、それぞれのＡＰ自身が将来のアソシエーション要求を拒絶することを決定する。これによってメッセージ交換をある程度減らすことができ、制御ユニットが判断し、又は現在ＭＴを接続しているＡＰが判断する必要性を免除することができる。しかしながら、ハンドオーバの経験は、最小値を超えるリンク品質を確立するＡＰが無い場合に被る。そのような例外は、適切な対処を必要とするだろう。
【００４５】
本発明の別の態様に従って、ＭＴと接続されているＡＰに隣接した又は近隣の各ＡＰの接続品質アセスメントの結果は、関連する各ＡＰに伝送される。そして、ベストな品質接続を持つ、又は接続品質で最も高順位に順位付けされたいくつかの（ｎ個）のＡＰは、将来のアソシエーション要求を受諾し、一方、その他のＡＰは将来のアソシエーション要求を拒絶だろう。このことは、選択のいくらかの回復力（resilience）を提供し、コマンド交換を減らす。最も高い順位のいくつかの（ｎ個）のＡＰは、ＡＰの中に現れ、又はプロービングをトリガーするメッセージの中で伝送され得る。
【００４６】
すべてのＡＰがＭＴからのアソシエーション要求に応答する必要が無いので、本発明は、より早いハンドオーバ処理を有利に提供する。さらに、ワイヤレスネットワークオペレータは、ＡＰを横断して負荷分散を許すアソシエーション要求を受諾するＡＰに亘って制御を改善した。その上さらに、実装は、ネットワークの構成要素、例えばＡＰにおいて行われ、既存のモバイル装置への変更を必要としないであろう。その上さらに、本発明の方法は、ＭＴのネットワーク接続を最適化しようとする複数のＡＰおけるシステムにおいて役立ち、ターゲットＡＰ及びターゲットＭＴとの間のリンク特性を見積もる基板上の専用ハードウェアの必要性を免除したので、したがって、従来のハイエンドの企業顧客のみが見込まれたのとは違って、効果的にシステムのコストを下げ、顧客にとって手頃な価格の最適化システムを作った。
【００４７】
当業者に取って理解されるように、本発明の態様は、システム、方法、又はコンピュータ読取可能記憶媒体として具体化され得る。したがって、本発明の態様は、ファームウェア、常駐ソフトウェア、マイクロコード等を含み、完全にハードウェアで実装される実施形態、完全にソフトウェアで実装される実施形態、又は一般に「回路（circuit）」、「モジュール（module）」、又は「システム（system）」と本明細書中で参照されるソフトウェア及びハードウェアの態様の組合せの実施形態の形態を取りうる。さらに、本発明の態様は、例えば、階層化リアルタイムストリームに対する受信機において実行されるときに、受信機に方法を実行させるようにする、ソフトウェア命令を保存するコンピュータ読取可能記憶媒体の形態も取り得る。１つ以上のコンピュータ読取可能記憶媒体の組合せも利用され得る。
【００４８】
本文脈では、コンピュータ読取可能記憶媒体は、１つ以上のコンピュータ読取可能媒体中に具体化され、コンピュータによって実行される具体化されるコンピュータ読取可能プログラムコードを有するコンピュータ読取可能プログラム製品の形を取り得る。本明細書中で使用されるコンピュータ読取可能記憶媒体は、その中に情報を保存する固有の能力、及びその中から情報の検索を提供する固有の能力を与える、非一時的記憶媒体と見なされる。コンピュータ読取可能記憶媒体は、例えば、これらに制限されないが、電子的、磁気的、光学的、電磁気的、赤外線の、又は半導体システム、装置、又はデバイス、又はそれらのいかなる適切な組み合わせも含む。本発明が適用され得るコンピュータ読取可能記憶媒体のもっと具体的な例を提供するが、当業者にすぐに理解されるように、以下は単に説明の役にたつものであり、網羅的な列挙ではないことを理解されたい：携帯型コンピュータフローッピーディスク、ハードディスク、リードオンリーメモリ（ＲＯＭ）、消去可能リードオンリーメモリ（ＥＰＲＯＭ又はフラッシュメモリ）、携帯型コンパクトディスクリードオンリーメモリ（ＣＤ−ＲＯＭ）、光学記憶装置、磁気記憶装置、又はこれらの適切な組み合わせ。
【００４９】
本発明は、上述の通り典型的な実施例及び拡張を使用して説明した。異なる実施形態及び拡張が本発明の意図を逸脱せずに組合せ可能であることがすぐに明らかになる。
【図面の簡単な説明】
【００５０】
以下で発明が図面を参照して説明される。
【００５１】
【図１】本発明の方法が実行されるネットワークアーキテクチャの図式の単純化された全体図である。
【図２】方法の実施形態の例となる図式のフロー図を表す。
【図３】本発明の第１の態様に従った例となるメッセージフロー図を示す。
【図４】本発明の第２の態様に従った例となるメッセージフロー図を示す。
【図５】本発明に従った第１のＡＰの例となる図式のブロック図である。
【図６】本発明に従った第２のＡＰの例となる図式のブロック図である。
【００５２】
図において、類似の構成要素は、同じ参照番号で指定される。
【発明を実施するための形態】
【００５３】
図１は、本発明の方法が実施されるネットワークアーキテクチャの図式の簡単化した全体図を示す。モバイル端末（ＭＴ：mobile  terminal）１０２は、第１のアクセスポイント（ＡＰ：access  point）１０４にワイヤレスで接続される。複数のチャネルの一つを通じて、接続は確立される。図において、接続はチャネル１１上である。ＭＴ１０２は、また第２のＡＰ１０６及び第３のＡＰ１０８のサービスエリア内にある。第１のＡＰ１０４、第２のＡＰ１０６及び第３のＡＰ１０８は、また、スイッチ１１２及びルーター１１４を介してインターネット１１６にさらに接続されるＬＡＮ１１０を介してリンクする。
【００５４】
もし何らかの理由で、第１のＡＰ１０４がＭＴ１０２とのリンク品質がもはや十分ではないと判断すると、第１のＡＰ１０２は、ＭＴ１０２を切り離し（disassociate）、第２のＡＰ１０６又は第３のＡＰ１０８のうちの一つとより良い接続を再確立するようにする。従来技術のアプローチは、ＭＴ１０２にどのＡＰと接続すべきか見つけ出させるようにすることであった。本発明に従って、第２のＡＰ１０６及び第３のＡＰ１０８は、もしＭＴ１０２がそれらの一つと接続することができる場合を予定する。ＭＴ１０２及び第１のＡＰ１０４が現在リンクしているチャネルとは異なるチャネル１上で第２のＡＰ１０６が動作しているため、第２のＡＰ１０６は、リンク品質の評価を簡単に実行することができない。同じことが第３のＡＰ１０８に対しても当てはまる。それゆえに、それらは、ＭＴ１０２が現在リンク品質のアセスのために使用しているチャネルへスイッチする必要がある。第２のＡＰ１０６及び第３のＡＰ１０８のいずれもがもし又はいつＭＴ１０２及び第１のＡＰ１０４の間のリンクの品質が不十分になるか分からないので、トリガー信号に応じて単にリンクアセスメントを行うだけである。そのようなトリガー信号は通常は、ＭＴと現在接続されているＡＰから送られ、図の第１のＡＰ１０４は、例えば、ＬＡＮマネジメントプロトコルを介して、そのようなトリガー信号を送る。また、ＡＰは、異なるチャネルで動作しており、且つＭＴ１０２は第１のＡＰ１０４とのみ接続されており、第２のＡＰ１０６又は第３のＡＰ１０８とは接続されていないので、基本リンクアセスメント（basic  link  assessment）のみが、例えばＲＳＳＩを使用して可能である。さらに上述の通り、ＡＰが、送信又は受信にビジーでない場合、将来接続される可能性があるＭＴとのリンク品質をチェックするために、自身が動作しているチャネル以外でのスキャンを実行することができる。
【００５５】
将来接続する可能性があるＭＴを単にリスンする、いわゆるスニッフィング（sniffing）は、使用可能なＲＳＳＩを決定するために、いわゆる「アクションフレーム（action  frame）」、例えば、ＡＤＤＢＡ要求、又はＱｏＳ制御フレーム、例えば、ＱｏＳナル、サブタイプ１１００は、正確なＲＳＳＩ測定値（reading）にならない。そのような伝送を受信する装置は、ＡＣＫメッセージ又は「ＯＢＳＳ要求による拒絶」メッセージのいずれかで応答しなければならない。その結果のＲＳＳＩ測定値は、そして、ＭＴからの将来のアソシエーション要求の受諾又は拒絶の判定に使用される。
【００５６】
図１で、第２のＡＰ１０６及び第３のＡＰ１０８からのＲＳＳＩ測定値は、第１のＡＰ１０４へ送信され、例えば、他のリンクが現在のリンクよりさらに悪い品質を有するため、又は第２のＡＰ１０６及び第３のＡＰ１０８の１つに指示し、ＭＴ１０２からの近い将来のアソシエーション要求を受諾し、そして、ＭＴ１０２を切断することにより、現在のアソシエーションを維持するように決定できる。
【００５７】
図２は、本発明に従った方法の実施形態の例としてのフロー図を示す。フロー図は、一旦オフチャネルリンクチェックを実行するトリガーを受信すると、本発明に従ってＡＰにおいて実行される方法のステップを描写する。ステップ２０２において、オフチャネルリンクチェックを実行する利用可能な「空き（free）」時間が決定される。十分な時間が利用可能でない場合、ステップ２０４の「いいえ（no）」分岐へ行き、利用可能な時間のチェックが繰り返される。もしオフチャネルリンクチェックのために十分な時間が利用可能な場合は、ステップ２０６で、全部又は部分的に、ＡＰは、通常動作するその最初の又は「自身の（own）」チャネルから異なるターゲットチャネルへスイッチする。そして、ＡＰは、ステップ２０８でリンクチェックフレームを送信し、ステップ２１０でリンクチェックフレームに対する応答を受信し、ステップ２１２でＲＳＳＩ測定値を記録する。リンクチェックフレームの送信及び受信は、正確さを増すために繰り返され得る。最終的に、ステップ２１４で、ＡＰは、以前動作していた最初のチャネルに戻るようにスイッチする。
【００５８】
図３は、本発明の第１の態様に従った例となるメッセージフロー図を示す。ＭＴとアクティブなアソシエーションを持つＡＰ１は、ステップ３０１において、リンク品質が所定の閾値を下回ると判断すると、ステップ３０２において、ＡＰ２、ＡＰ３、…、ＡＰｎに対してメッセージを送信し、これらのＡＰにトリガーして、ＭＴに対してプローブ要求メッセージを発行させるようにする。ステップ３０３において、宛先となる各ＡＰは、続いて、ＭＴにプローブ要求メッセージを送信し、ステップ３０４で対応する応答を受信する。ステップ３０５において、宛先となるＡＰは、一旦、応答を受信すると、リンクの品質を判定し、プロービングを開始したＡＰ１に判定したリンク品質をレポートする。ステップ３０６において、すべての宛先のＡＰからリンク品質に関するレポートを受信した後、ＡＰ１は、ＭＴとの将来のアソシエーションに対して適切な１つ以上のＡＰを選択し、ＭＴからの将来のアソシエーション要求を受諾する又は拒絶するようにそれに応じてＡＰに指示する。
【００５９】
図４は、本発明の第２の態様に従った例となるメッセージフロー図を示す。最初の状況は、図３に記載されたものに対応する：ＡＰ１がＭＴとアクティブなアソシエーションを有し、リンク品質が所定の閾値に満たないと判断し、しかし、図３に示されたのとは異なり、図４では、ＡＰのいずれかに対するＭＴのアソシエーションを調整及び制御する、制御ユニットＣＵが存在している。ステップ４０１で、ＡＰ１は、低リンク品質についてＣＵに知らせるメッセージをＣＵに送る。ステップ４０２において、ＣＵは、メッセージをＡＰ２、ＡＰ３、…、ＡＰｎに送信し、ＭＴに対してプローブ要求メッセージを発行するようにこれらのＡＰをトリガーする。ステップ４０３において、宛先となる各ＡＰは、続いて、ＭＴに対してプローブ要求メッセージを送信し、ステップ４０４において、対応する応答を受信する。ステップ４０５で、一旦宛先のＡＰが応答を受け取ったら、それらはリンク品質を判定し、プロービングを開始したＣＵに判定したリンク品質をレポートする。ステップ４０６で、すべての宛先のＡＰからリンク品質についてのレポートを受信した後、ＣＵは、ＭＴとの将来のアソシエーションに対して適切な１つ以上のＡＰを選択し、ＭＴからの将来のアソシエーション要求を受諾又は拒絶するようにＡＰに指示する。
【００６０】
図５は、本発明に従った方法を実行するのに適した第１のＡＰ５００の例となる概略のブロック図を示す。マイクロプロセッサ５０２は、ランダムアクセスメモリ（ＲＡＭ）５０４、ワイドエリアネットワーク（ＷＡＮ）及び／又はローカルエリアネットワーク（ＬＡＮ）インタフェース５０６、不揮発性メモリ５０８及びワイヤレスインタフェース５１６にデータバス５１８を経由して連結される。データバス５１８は、単一のデータバスである必要なく、適切であり、制御及びデータフローに関して必要である、ＡＰのすべての又は一部の構成要素のみを接続する別個のバスのシステムとして実装されても良い。不揮発性メモリ５０８は、マイクロプロセッサ５０２によって実行されるときに、本特許明細書に記載された方法のいくつかの態様及び実施形態の１つ以上を実行するプログラム命令を保持する。マイクロプロセッサは、良く知られており、使用されているタイプであり、例えば、ｘ８６、ｘ８６−６４、ＡＲＭ、ＭＩＰＳ等の既知のアーキテクチャの中のいずれかの適切なものに従って構成され得る。ランダムアクセスメモリ５０４は、方法が実行されるときに、一時的にデータ及び／又はプログラム命令を保存することができる。不揮発性メモリは、ハードディスクドライブ（ＨＤＤ）、フラッシュメモリ、又はそれらの組合せとして実装され得る。ＭＲＡＭ、光学式記憶装置等の他の不揮発性メモリのタイプも、本発明の範囲から逸脱すること無くＡＰにおいて使用することもできる。
【００６１】
図６は、本発明に従った第２のＡＰ６００の例となる概略のブロック図である。ＡＰ６００は、図５を参照して示され、検討されたすべての構成要素を含み、対応する構成要素は、６００の範囲で同様の参照番号で参照される。図５に示されたＡＰに加えて、図６のＡＰ６００は、第２のワイヤレスインタフェースを有し、本発明の１つ以上の態様において上述されたように、それにより１つ以上の接続されたＭＴと並列のデータトラフィックを可能にし、及び接続されていないＭＴにリンク品質のプロービングを可能にする。
【００６２】
本明細書に提示されたブロック図は、本発明の原理を具体化する例示的なシステム構成要素及び／又は回路の概念的な図を表していることを当業者であれば理解される。同様に、いずれのフローチャート等もコンピュータ読取可能記憶媒体に実質的に表現され得る様々な処理を表現することが理解され、そのようなコンピュータ又はプロセッサが明示的に示されていてもいなくても、コンピュータ又はプロセッサによって実行され得る。
【００６３】
添付の図面に示された例を参照して上記の通り本発明は説明されたが、本発明はこれらに限定されず、本発明の範囲と意図から逸脱することなく、当業者によって修正することが可能である。例えば、本発明は、ＩＥＥＥ８０２．１１規格のみに従うＷＬＡＮネットワークに限定されるものではなく、ＢＲＡＮ（Broadband  Radio  Access  Network：広帯域無線接続ネットワーク）規格に基づくシステム、又は同時に単一のＡＰに接続されるＭＴで使用される他のいかなるネットワークのタイプのような他のワイヤレスシステムに接続され使用され得る。
【図１】
2019198096.tif 000003
【図２】
2019198096.tif 000004
【図３】
2019198096.tif 000005
【図４】
2019198096.tif 000006
【図５】
2019198096.tif 000007
【図６】
2019198096.tif 000008
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
少なくとも２つのアクセスポイントおよびネットワーク装置を有するワイヤレス通信システムにおいて少なくとも第１のアクセスポイントに対するモバイル端末のアソシエーションを管理する方法であって、前記モバイル端末は第２のアクセスポイントに関連付けられており、前記方法は、
前記ネットワーク装置が、前記第１のアクセスポイントと前記モバイル端末との間の接続の品質を示すパラメータの前記第１のアクセスポイントによる測定をトリガするメッセージを前記第１のアクセスポイントに送信することと、
前記ネットワーク装置が、前記第１のアクセスポイントから、前記第１のアクセスポイントによって決定された前記第１のアクセスポイントと前記モバイル端末との間の接続の品質を表す値を受け取ることと、
前記ネットワーク装置が、前記第１のアクセスポイントと前記モバイル端末との間の前記接続の前記品質を表す前記値に基づき、前記モバイル端末により発行された将来のアソシエーション要求を選択的に受諾または拒絶するためのコマンドを前記第１のアクセスポイントに送信することと、を含む、
方法。
【請求項２】
前記第２のアクセスポイントと前記モバイル端末との間の接続の１つ以上の属性をモニターすることと、
前記モニターした属性から、前記接続の前記品質を表す第２の値を決定することと、
前記第２の値が所定の値以下の時に限り前記測定をトリガする前記メッセージを前記第１のアクセスポイントに送信することと、をさらに含む、
請求項１に記載の方法。
【請求項３】
少なくとも２つのアクセスポイントを有するワイヤレス通信システムにおいて少なくとも第１のアクセスポイントとのモバイル端末のアソシエーションを管理することを目的としたネットワーク装置であって、前記モバイル端末は第２のアクセスポイントに関連付けられており、前記ネットワーク装置は、
前記第１のアクセスポイントと前記モバイル端末との間の接続の品質を示すパラメータの前記第１のアクセスポイントによる測定をトリガするメッセージを前記第１のアクセスポイントに送信し、
前記第１のアクセスポイントから、前記第１のアクセスポイントによって決定された前記第１のアクセスポイントと前記モバイル端末との間の接続の品質を表す値を受け取り、かつ、
前記第１のアクセスポイントと前記モバイル端末との間の前記接続の前記品質を表す前記値に基づき、前記モバイル端末により発行された将来のアソシエーション要求を選択的に受諾または拒絶するためのコマンドを前記第１のアクセスポイントに送信するように構成されたプロセッサを備える、
ネットワーク装置。
【請求項４】
前記プロセッサは、さらに、
前記第２のアクセスポイントと前記モバイル端末との間の接続の１つ以上の属性をモニターし、
前記モニターした属性から、前記接続の品質を表す第２の値を決定し、かつ、
前記第２の値が所定の値以下の時に限り前記測定をトリガする前記メッセージを前記第１のアクセスポイントに送信するように構成される、
請求項３に記載のネットワーク装置。
【手続補正書】
【提出日】令和1年7月24日(2019.7.24)
【手続補正１】
【補正対象書類名】明細書
【補正対象項目名】００６３
【補正方法】変更
【補正の内容】
【００６３】
添付の図面に示された例を参照して上記の通り本発明は説明されたが、本発明はこれらに限定されず、本発明の範囲と意図から逸脱することなく、当業者によって修正することが可能である。例えば、本発明は、ＩＥＥＥ８０２．１１規格のみに従うＷＬＡＮネットワークに限定されるものではなく、ＢＲＡＮ（Broadband  Radio  Access  Network：広帯域無線接続ネットワーク）規格に基づくシステム、又は同時に単一のＡＰに接続されるＭＴで使用される他のいかなるネットワークのタイプのような他のワイヤレスシステムに接続され使用され得る。
ここで例としていくつかの付記を記載する。
（付記１）
少なくとも２つのアクセスポイントを有するワイヤレス通信システムにおいてアクセスポイントに対するモバイル端末のアソシエーションを制御する方法であって、各アクセスポイントは、複数のチャネルのうちの選択された一つ上でワイヤレスインタフェースを介して前記アクセスポイントのサービスエリア内の前記モバイル端末とのデータ通信を提供するように適合され、前記方法は、
１つ以上のアクセスポイントの候補が、第１のモバイル端末が接続されている第１のアクセスポイントのサービスエリアと隣接した又はオーバーラップしたサービスエリアを有し、前記第１のモバイル端末に対してプローブ要求メッセージを送信するコマンドを受信し、
前記１つ以上のアクセスポイントの各候補が、対応するプローブ要求メッセージに応答して、前記第１のモバイル端末から受信した応答から、前記アクセスポイントのそれぞれの候補及び前記第１のモバイル端末との間の接続の品質を表すそれぞれの第１の値を決定し、
前記１つ以上のアクセスポイントの各候補が、前記第１のモバイル端末により発行された将来のアソシエーション要求を選択的に受諾又は拒絶するように前記アクセスポイントのそれぞれの候補を制御するコマンドを受信する、前記方法。
（付記２）
前記アクセスポイントの各候補の前記ワイヤレスインタフェースが、前記第１のモバイル端末が前記第１のアクセスポイントと接続されている前記チャネルとは異なるチャネルを最初に設定し、前記アクセスポイントの各候補に対して、前記第１のモバイル端末に前記プローブ要求メッセージを送信する前に、前記方法は、さらに、
前記第１のアクセスポイントと前記第１のモバイル端末が接続されている前記チャネルへ前記ワイヤレスインタフェースをスイッチし、前記プローブ要求メッセージを送信後所定の時間の経過に応じて、又は前記プローブ要求メッセージに対する応答の受信に応じて、最初に設定された前記チャネルにスイッチする、付記１に記載の方法。
（付記３）
前記アクセスポイントの各候補が、さらなるモバイル端末とのアクティブなワイヤレス通信を実行しない間の時間間隔においてのみ、プローブ要求メッセージを送信することをさらに含む、付記１に記載の方法。
（付記４）
プローブ要求メッセージを送信する前記コマンドが、前記第１のアクセスポイント又は前記ワイヤレス通信システムの前記少なくとも２つのアクセスポイントと通信する制御ユニットから受信される、付記１に記載の方法。
（付記５）
前記第１のアクセスポイント及び前記第１のモバイル端末の間の接続の１つ以上の属性をモニターし、前記モニターした属性から前記接続の前記品質を表す第２の値を決定し、前記アクセスポイントの候補に前記コマンドの送信をトリガーし、前記第２の値が、所定の値以下のときにプローブ要求メッセージを送信させることをさらに含む付記１に記載の方法。
（付記６）
前記モニターすること、前記決定すること、及び制御するための前記コマンドをトリガーすることの１つ以上が、前記第１のアクセスポイント又は前記ワイヤレス通信システムの前記少なくとも２つのアクセスポイントと通信する制御ユニットにおいて実行される、付記５に記載の方法。
（付記７）
前記アクセスポイントの候補に選択的に前記第１のモバイル端末からのアソシエーション要求を受諾又は拒絶するように制御する前記コマンドは、前記それぞれの第１の値を送信する前記アクセスポイントの候補から受信したメッセージに応答して、前記第１のアクセスポイント又は前記ワイヤレス通信システムの前記少なくとも２つのアクセスポイントと通信する制御ユニットから受信される、付記１に記載の方法。
（付記８）
前記第１のモバイル端末からの将来のアソシエーション要求を受諾又は拒絶するよう前記アクセスポイントの各候補を制御することは、前記それぞれの第１の値が所定の値以上の場合のみ将来のアソシエーション要求を受諾すること、前記アクセスポイントの前記各候補に接続されるさらなるモバイルステーションの所定の数より少ない場合のみ将来のアソシエーション要求を受諾すること、又は前記アクセスポイントの各候補のデータトラフィックの総量が所定の時間間隔の間所定の値を下回った場合のみ将来のアソシエーション要求を受諾することのうちの１つ以上を含む、付記１に記載の方法。
（付記９）
前記プローブ要求メッセージは、ＡＤＤＢＡ要求又はＱｏＳ制御フレームを含み、アクセスポイントとの確立したアソシエーションと関係なく応答しなければならないタイプである、付記１に記載の方法。
（付記１０）
各アクセスポイントは、モバイル端末との接続品質を示す値を含む状態メッセージを制御ユニットへ送信する、付記１に記載の方法。
（付記１１）
モバイル端末との接続の前記品質は、信号強度、ビットエラーレート、ブロックエラーレート、データレート、変調方式、及び信号対雑音比のうちの１つ以上に基づいて決められる、付記１に記載の方法。
（付記１２）
前記プローブ要求メッセージに応答して前記モバイル端末から応答を受け取らないアクセスポイントは、前記モバイル端末からの応答が無いことを示すプローブ要求メッセージを送信するコマンドに応答してメッセージを返す、付記１に記載の方法。
【外国語明細書】
2019198096000001.pdf